(57)【要約】【課題】  用紙共用幅の狭い後処理装置が連結されたときにも、確実な記録紙の強制排出を可能とする。【解決手段】  画像形成装置１０では、フィニッシャー１８が接続されるときに、フィニッシャーの用紙許容幅Ｗが入力ないし設定されることにより、この用紙許容幅に基づいてサイドレジ位置Ｓを設定し、記録紙１２に画像形成を行うときには、このサイドレジ位置に合わせて記録紙のサイドレジ調整を行う。また、異常停止後などにパージ処理を行うときには、最大サイズの記録紙に対するサイドレジ位置Ｓrbではなく、サイドレジ位置Ｓに合わせて記録紙のサイドレジ調整を行うことにより、フィニッシャーとの間で記録紙が詰まるのを防止し、短時間で簡単に装置が再稼動可能となるようにしている。【選択図】        図５
2005320151.tif 000002
【特許請求の範囲】
【請求項１】
記録紙を所定の搬送路に沿って搬送する搬送手段と、
前記搬送手段によって搬送される前記記録紙に画像を形成する画像形成手段と、
画像を形成する前記記録紙を搬送方向と直交する幅方向に移動する移動手段と、
前記画像形成手段により前記記録紙に画像を形成するときに、前記移動手段によって記録紙を、記録紙の搬送幅方向に沿ったサイズに応じて設定しているサイドレジ位置へ移動すると共に、前記搬送路内の記録紙の強制排出時に、搬送幅方向に沿った最大サイズの記録紙に合わせたサイドレジ位置へ移動する調整制御手段と、
を含む画像形成装置であって、
画像を形成した前記記録紙に対して所定の後処理を行う後処理装置が連結されたときに、
前記調整制御手段が、前記後処理装置の用紙許容幅に基づいて前記サイドレジ位置を設定すると共に、前記画像形成手段によって前記記録紙に画像を形成するときと共に、記録紙を強制排出するときに該サイドレジ位置へ移動することを特徴とする画像形成装置。
【発明の詳細な説明】
【技術分野】
【０００１】
本発明は、記録紙に画像を形成する画像形成装置に係り、詳細には、画像を形成した記録紙に対して各種の後処理を施す後処理装置が連結される画像形成装置に関する。
【背景技術】
【０００２】
記録紙に画像を形成する画像形成装置には、画像データに基づいて感光体ドラムを露光し、トナー現像を行うことにより形成したトナー像を、中間転写体を介して記録紙に転写した後、定着ロールによって挟持して加熱及び加圧することによりトナー像を記録紙に定着する、電子写真プロセスを用いたものがある。
【０００３】
このような画像形成装置では、Ｙ（イエロー）、Ｍ（マゼンタ）、Ｃ（シアン）、Ｋ（ブラック）の各色のトナーを用いた高品質のカラー画像の形成や、記録紙の両面に画像を形成する両面印刷などが可能となっている。また、画像形成装置では、高品質のカラー画像を形成するために、感光体ドラムの両端部を避けて、感光体の中央部を用いてトナー像を形成するようにしている。
【０００４】
一方、ＤＴＰの分野においては、画像形成装置に裁断や小冊子作成などの後処理機能を備えた後処理装置（フィニッシャー）を連結し、記録紙への画像形成から各種の後処理までを連続して行うことがある。
【０００５】
記録紙の両面に画像を形成した後、記録紙を所定のサイズに裁断したり、製本等を行うときには、記録紙の表裏両面の画像位置を合わせる必要があり、ここから、画像形成装置では、記録紙への画像形成（画像転写）に先立って、サイドレジ調整を行うようにしている。
【０００６】
すなわち、記録紙にイメージなどの画像を形成するときにサイドレジが合っていないと、製本したときにページ間でイメージの位置が一定しなくなり、特に両面印刷を施したときに、表裏の画像のズレが目立ってしまう。また、両面印刷した記録紙の余白をカットする裁断を行うときに、表裏面の画像位置が合っていないと、表裏面で余白の量が異なったり、一方の面を基準に記録紙を裁断したときに、他方の面の画像が欠けてしまうことがある。
【０００７】
このような問題を防止するために、画像形成装置では、記録紙のレジ位置が常に一定となるように制御している。このときに、感光体ドラムの軸方向に沿った長さに近い幅を持つ大きいサイズの記録紙に画像を形成するときには、記録紙の幅に合わせて感光体ドラムの軸方向の両端部まで用いて画像形成を行うようにレジ位置の調整を行うが、所定幅以内の記録紙に対しては、感光体ドラムの軸方向に沿った中央部に画像を形成し、この画像形成位置にあわせて記録紙のレジ位置を調整するようにしている。
【０００８】
また、両面印刷を行うときには、１面目の画像を形成した記録紙を搬送する両面パス部に、記録紙の搬送方向と直交する幅方向に対向して突き当て部を設け、２面目の画像を形成する記録紙の幅方向の端部を、この突き当て部へ突き当てることにより幅方向の位置決めを行うようにする提案がなされている（例えば、特許文献１参照。）。
【０００９】
ところで、画像形成装置に連結されるフィニッシャーには、その後処理機能によって処理可能な記録紙のサイズが限られるものがある。すなわち、画像形成装置では、比較的大きいサイズの記録紙に対しても画像形成が可能となっているが、フィニッシャーでは、受け入れ可能な記録紙のサイズが限られるものがある。
【００１０】
このために、受け入れ可能な記録紙のサイズが限られるフィニッシャーを画像形成装置に連結するときには、画像形成装置でレジ位置を調整する必要がある。
【００１１】
一方、画像形成装置では、異常停止したときに、装置内部に残っている記録紙を搬送して排出するパージ（Purge）動作を行うものがある。装置が異常停止したときには、記録紙の搬送姿勢が不安定となっていることが多く、このために、画像形成装置ではパージ動作を行うときに、記録紙のレジ位置を大きなサイズの記録紙に対して設定されているレジ位置に調整して送り出すことにより、記録紙が斜めの状態（斜行状態）であっても、紙詰まり（Jam）が生じることがないようにしている。
【００１２】
また、紙詰まりを生じさせた記録紙を排出する排出位置を予め設定し、紙詰まりに対するリカバリーを行うときに、この排出位置へ記録紙を排出するようにした画像形成システムが提案されている（例えば、特許文献２参照。）。
【特許文献１】特開２００２−３２６７６８号公報
【特許文献２】特開２００２−１２８３７６号公報
【発明の開示】
【発明が解決しようとする課題】
【００１３】
しかしながら、受け入れ可能な記録紙のサイズが制限されるフィニッシャーが連結された状態で、フィニッシャーで受け入れが不可能な大きいサイズの記録紙に合わせレジ位置を調整してしまうと、パージ動作を行ったときに画像形成装置とフィニッシャーの間で紙詰まりなどが生じてしまうという問題がある。
【００１４】
このようなパージ動作時の紙詰まりを防止するためには、画像形成装置でのパージ機能を停止することが考えられるが、この場合には、装置内部に残っている記録紙をオペレータが手作業で１枚ずつ取り除く必要があり、極めて操作性が悪くなってしまう。
【００１５】
本発明は上記事実に鑑みてなされたものであり、受け入れ可能な記録紙のサイズが制限される後処理装置を連結したときにも、パージ動作が可能となるようにすることにより異常停止したときの操作性が低下してしまうのを防止した画像形成装置を提案することを目的とする。
【課題を解決するための手段】
【００１６】
上記目的を達成するために本発明は、記録紙を所定の搬送路に沿って搬送する搬送手段と、前記搬送手段によって搬送される前記記録紙に画像を形成する画像形成手段と、画像を形成する前記記録紙を搬送方向と直交する幅方向に移動する移動手段と、前記画像形成手段により前記記録紙に画像を形成するときに、前記移動手段によって記録紙を、記録紙の搬送幅方向に沿ったサイズに応じて設定しているサイドレジ位置へ移動すると共に、前記搬送路内の記録紙の強制排出時に、搬送幅方向に沿った最大サイズの記録紙に合わせたサイドレジ位置へ移動する調整制御手段と、を含む画像形成装置であって、画像を形成した前記記録紙に対して所定の後処理を行う後処理装置が連結されたときに、前記調整制御手段が、前記後処理装置の用紙許容幅に基づいて前記サイドレジ位置を設定すると共に、前記画像形成手段によって前記記録紙に画像を形成するときと共に、記録紙を強制排出するときに該サイドレジ位置へ移動することを特徴とする。
【００１７】
この発明によれば、記録紙のサイズに応じて設定されているサイドレジ位置へ移動することにより、搬送幅方向の位置を調整して画像形成を行う。
【００１８】
これにより、所定サイズ以上の記録紙への画像形成が可能であると共に、所定サイズ以下の記録紙であれば、例えば、感光体ドラムの軸方向に沿った中央部を用いて高品質の画像を形成することができる。
【００１９】
また、装置の異常停止後などにおいて搬送路上に残っている記録紙を強制排出するときには、最大サイズの記録紙に合わせたサイドレジ位置に記録紙を移動することにより、記録紙に斜行が生じていても円滑に排出することができる。
【００２０】
一方、後処理装置が連結されたときには、後処理装置の用紙許容幅に基づいてサイドレジ位置を設定することにより、用紙許容幅の狭い後処理装置への画像形成も可能となる。また、後処理装置が連結されたときに、記録紙の強制排出を行うときにも、後処理装置の用紙許容幅に基づいて設定したサイドレジ位置へ記録紙を移動するので、後処理装置との間で記録紙の詰まりが生じてしまうのを防止して、記録紙の強制排出を円滑に行うことができる。
【発明の効果】
【００２１】
以上説明したように本発明によれば、画像形成が可能な最大サイズの記録紙よりも、後処理装置の用紙許容幅が狭くても、後処理装置との間で紙詰まり等が生じてしまうのを確実に防止することができるという優れた効果が得られる。
【００２２】
また、後処理装置が接続された状態でも装置の異常停止後の処理を短時間で簡単に行うことができるので、装置が異常停止したときに、稼動効率が下がってしまうのを抑えることができる。
【発明を実施するための最良の形態】
【００２３】
以下に図面を参照しながら本発明の実施の形態を説明する。図１には、本実施の形態に適用した画像形成装置１０の概略構成を示している。この画像形成装置１０は、記録紙１２に画像を形成する画像形成部１４と、画像形成部１４へ記録紙１２を供給（給紙）するトレイ部１６と、によって形成されている。また、画像形成装置１０には、画像が形成された記録紙１２に対して所定の後処理を行う後処理装置としてフィニッシャー１８が連結可能となっている。
【００２４】
トレイ部１６には、多数枚の記録紙１２を積層して収容するトレイ２０が設けられており、トレイ部１６では、トレイ２０の最上層から記録紙１２を取出して、画像形成部１４へ給紙する。また、トレイ部１６には、手差しトレイ２２が設けられており、手差しによって供給される記録紙１２を、画像形成部１４へ供給できるようになっている。
【００２５】
画像形成部１４には、複数のローラに巻き掛けられた無端ベルト状の中間転写体（中間転写ベルト２４）が設けられており、図示しないモータによってこの中間転写ベルト２４が矢印Ａ方向へ回転駆動されるようになっている。
【００２６】
また、画像形成部１４には、中間転写ベルト２４に対向する感光体ドラム２６を備えた現像モジュール２８が設けられている。画像形成部１４では、カラー画像の形成が可能となっており、Ｙ（イエロー）、Ｍ（マゼンタ）、Ｃ（シアン）、Ｋ（ブラック）の各色の現像モジュール２８Ｙ、２８Ｍ、２８Ｃ、２８Ｋ（総称するときは、現像モジュール２８とする）が中間転写ベルト２４に対向して順に配置されている。
【００２７】
現像モジュール２８のそれぞれでは、感光体ドラム２６を均一に帯電した後、画像データに基づいて走査露光することにより静電潜像を形成する。この後、静電潜像が形成された感光体ドラム２６上に各色のトナーを供給することにより静電潜像に応じたトナー像を形成し（トナー現像）、このトナー像を中間転写ベルト２４に重畳させながら転写することにより、中間転写ベルト２４上にカラーのトナー像を形成する。
【００２８】
画像形成部１４には、現像モジュール２８よりも中間転写ベルト２４の回転方向下流側に転写器３０が設けられている。転写器３０は、一対のローラ３２を備えている。また、画像形成部１４には、トレイ部１６から送り込まれた記録紙１２を搬送する搬送路３４が形成されている。
【００２９】
記録紙１２は、この搬送路３４に沿って搬送され、中間転写ベルト２４に転写されたトナー像に重ねられて転写器３０のローラ３２に挟持される。これにより、画像形成部１４では、中間転写ベルト２４のトナー像を記録紙１２に転写して送り出す。
【００３０】
また、転写器３０よりも記録紙１２の搬送方向下流側には、定着モジュール３６が設けられている。定着モジュール３６は、例えば、定着ローラ３８とベルト４０を備え、トナー像が転写された記録紙１２が送り込まれることにより、この記録紙１２を定着ローラ３８とベルト４０によって挟持しながら搬送する。
【００３１】
これにより、定着モジュール３６では、記録紙１２と共にトナー像を加圧しながら加熱することにより、トナー像を溶融させて記録紙１２に定着する。これにより、記録紙１２に画像が形成される。
【００３２】
定着モジュール３６よりも記録紙１２の搬送方向下流側には、切換え部４２及び、反転部４４と排出機構部４６が設けられ、定着モジュール３６を通過した記録紙１２は、切換え部４２によって反転部４４又は排出機構部４６へ搬送される。
【００３３】
画像形成部１４には、反転部４４からトレイ部１６へ記録紙１２を搬送する両面搬送路４８が形成されており、これにより、画像形成装置１０では、記録紙１２の両面に画像を形成する両面印刷が可能となっている。
【００３４】
両面印刷を行う時には、一方の面（１面目）に画像が形成された記録紙１２を切換え部４２から反転部４４へ送り込み、この反転部４４で搬送方向を反転させて、記録紙１２をトレイ部１６へ戻す。これにより、この記録紙１２を、他方の面（２面目）が中間転写ベルト２４に対向するように転写器３０へ給紙可能となる。
【００３５】
画像形成部１４では、記録紙１２への画像形成が終了すると、切換え部４２から排出機構部４６へ記録紙１２を搬送して送り出す。このときに、排出機構部４６では、記録紙１２に湾曲（カール）が生じているときに、このカールを矯正しながら送り出す。
【００３６】
この画像形成装置１０には、画像形成部１４からの記録紙１２の排出側にフィニッシャー１８が連結されることにより、このフィニッシャー１８へ記録紙１２を送り込む。このフィニッシャー１８としては、記録紙１２を裁断して小冊子作成を行う小冊子作成部５０など、任意の後処理機能を備えることができる。また、フィニッシャー１８は、後処理を施さずに記録紙１２をスルーして排出するための排出トレイ５２を備えることもできる。
【００３７】
ところで、画像形成部１４の搬送路３４には、転写器３０よりも上流側に斜行ユニット５４が設けられている。斜行ユニット５４は、複数対の斜行ローラ５６が設けられている。斜行ローラ５６は、軸方向が記録紙１２の搬送方向に対して所定確度で傾斜されており、これにより、記録紙１２を挟持して回転することにより、記録紙１２は、搬送方向の一端側に寄せられる。
【００３８】
すなわち、図２に示すように、トレイ部１６から送り込まれた記録紙１２は、斜行ユニット５４を通過することにより、幅方向の一端側に寄せられ、幅方向の一端側が図示しない当て板に当接されて幅方向の位置決めがなされる。
【００３９】
図１に示すように、斜行ユニット５４には、転写器３０に隣接してレジローラ６０が設けられている。
【００４０】
図３に示すように、レジローラ６０は、一対の側板６２のそれぞれに回転軸６０Ａが軸方向に移動可能に軸支されて、側板６２の間に掛け渡されている。また、側板６２の間には、アイドルローラ６４が掛け渡されて軸支されており、このアイドルローラ６４が、レジローラ６０の回転に追従して回転するようになっている。
【００４１】
また、側板６２の一方には、レジモータ６６が取付けられており、このレジモータ６６の駆動軸６６Ａとレジローラ６０の回転軸６０Ａが歯車列６８を介して連結されている。これにより、レジモータ６６が駆動することによりレジローラ６０が記録紙１２の搬送方向へ回転駆動される。
【００４２】
図１に示すように、斜行ユニット５４を通過する記録紙１２は、転写器３０の手前でレジローラ６０とアイドルローラ６４の間へ送り込まれる。レジローラ６０は、この記録紙１２をアイドルローラ６４との間で挟持して、所定のタイミングで転写器３０へ送り出すようになっている。
【００４３】
また、図３に示すように、レジローラ６０の回転軸６０Ａには、カップリング６８を介して、スライド機構７０が連結されている。スライド機構７０は、カップリング６８に連結されるシャフト７２を備えている。このシャフト７２は、カップリング６８を介してレジローラ６０に連結されていることにより、レジローラ６０と相対回転するようになっている。すなわち、レジローラ６０の回転に関わらずシャフト６８が回転することがなく、レジローラ６０と一体で軸方向に沿った移動のみが可能となっている。
【００４４】
このシャフト７２には、ラックギア７４が取付けられている。また、スライド機構７０は、ラックギア７４に噛合するピニオンギア７６が駆動軸に取付けられたサイドシフトモータ７８を備えている。
【００４５】
スライド機構７０は、サイドシフトモータ７８が駆動されることにより、シャフト７２が軸方向に沿って移動する。これにより、シャフト７２に連結されたレジローラ６０が、シャフト７２と一体で軸方向に沿って矢印Ｂ方向及び矢印Ｂ方向と反対方向へ移動する。
【００４６】
スライド機構７０は、アイドルローラ６４との間で記録紙１２を挟んだレジローラ６０を矢印Ｂ方向に沿って移動することにより、記録紙１２をその幅方向（矢印Ｂ）方向へ移動させる。なお、このときのレジローラ６０の移動量、すなわち、記録紙１２の移動量は、サイドシフトモータ６８をパルス駆動するときのパルス数によって制御される。
【００４７】
これにより、図２に示すように、記録紙１２は、斜行ユニット５４へ送り込まれることにより、幅方向の一端側（矢印Ｂ方向と反対側）に寄せられる。このときに、記録紙１２に斜行が生じていれば、その斜行が矯正される。また、記録紙１２は、スライド機構７０によってレジローラ６０が移動することにより、所定位置まで寄せられてサイドレジ調整がなされ、この状態で、転写器３０へ送り込まれる。また、記録紙１２は、幅方向がこの位置で、画像形成装置１０から送り出されてフィニッシャー１８へ送り込まれる。
【００４８】
図３に示すように、画像形成部１４には、レジモータ６６及びサイドシフトモータ７８の駆動を制御するレジコントローラ８０が設けられている。また、画像形成部１４には、記録紙１２の搬送及び記録紙１２への画像形成を制御するＩＯＴコントローラ８２が設けられている。
【００４９】
ＩＯＴコントローラ８２はＣＰＵ８４を備え、レジコントローラ８０は、ＣＰＵ８６を備えており、レジコントローラ８０は、ＩＯＴコントローラ８２から入力される制御信号に基づいて、レジモータ６６及びサイドシフトモータ７８の駆動を制御する。
【００５０】
このときに、ＩＯＴコントローラ８２は、転写器３０へ送り込む記録紙１２の幅方向の位置（以下、レジ位置とする）及び、転写器３０への記録紙１２の給紙タイミング等の制御を行うようになっている。
【００５１】
また、図１に示すように、画像形成装置１０には、操作パネル８８を供えた操作部９０が設けられている。操作パネル８８は、例えば、各種の情報を表示するディスプレイ８８Ａと、各種の設定や情報入力を行うキーボード８８Ｂを備えており、各種の情報の表示と、表示に基づいた情報の入力が可能となっている。なお、操作パネル８８は、これに限らず、ディスプレイ機能とキーボード機能が一体となったタッチパネル等の適用が可能である。
【００５２】
図３に示すように、この操作部９０は、ＩＯＴコントローラ８２に接続しており、ＩＯＴコントローラ８２は、各種のユーザーインターフェイス（ＵＩ）を操作パネル８８のディスプレイ８８Ａに表示しながら、この表示に基づいた各種の情報入力や設定入力などが可能となっている。
【００５３】
一方、図２に示すように、画像形成部１４では、感光体ドラム２６の軸方向に沿った略全域に画像形成が可能となっており、これが最大の画像形成領域Ｐmaxとなる。画像形成部１４では、この画像形成領域Ｐmaxによって定まるサイズ（幅ないし奥行き長、以下、「用紙幅」とする）の記録紙１２（記録紙１２Ｄなど）に対して画像形成が可能となっている。
【００５４】
また、画像形成装置１４では、所定サイズ以下の記録紙１２（記録紙１２Ａ、１２Ｂ、１２Ｃなど）に画像を形成するときには、主に感光体ドラム２６の軸方向の中央部の所定領域（画像形成領域Ｐmain）を用いてトナー像を形成することにより、記録紙１２に高品質の画像が形成可能となるようにしている。
【００５５】
ここから、画像形成領域Ｐmainに合わせたサイドレジ位置Ｓraと、画像形成領域Ｐmaxに合わせてサイドレジ位置Ｓrbを設定し、記録紙１２Ａ、１２Ｂ、１２Ｃ等の所定サイズ以下の記録紙１２に画像を形成するときには、この記録紙１２をサイドレジ位置Ｓraにレジ調整を行う。また、記録紙１２Ｄなどの所定サイズ以上の記録紙１２に画像を形成するときには、この記録紙１２をサイドレジ位置Ｓrbにレジ調整を行うようにしている。
【００５６】
また、ＩＯＴコントローラ８２は、記録紙１２への画像形成処理中に、異常停止すると、再起動したときに、搬送路中に残っている記録紙１２を搬送して排出するパージ（Purge）処理を行うようになっている。このとき、斜行状態の記録紙１２があると、紙詰まり（Jam）などを起こし易いことから、記録紙１２のサイズに関わらず、サイドレジ位置Ｐrbにレジ調整を行うようにしている。
【００５７】
一方、図４に示すように、フィニッシャー１８では、受け入れ可能な記録紙１２の最大サイズ（幅方向サイズ）が定まっている（以下、「用紙許容幅Ｗ」とする）。このために、用紙許容幅Ｗを越えるサイズの記録紙１２を画像形成部１４から送り出すと、フィニッシャー１８の用紙挿入口で紙詰まり等が生じる。
【００５８】
ここから、ＩＯＴコントローラ８２には、フィニッシャー１８の情報（Profile）として用紙許容幅Ｗが記憶されており、この用紙許容幅Ｗに基づいて記録紙１２のサイドレジ位置を設定し、設定した設定した調整を行うようにしている。
【００５９】
このとき、複数段階の用紙許容幅ＷをＩＯＴコントローラ８２に予め記憶させておいて、フィニッシャー１８を連結するときや交換するときに、適用する用紙許容幅Ｗを選択して設定するものであっても良く、また、フィニッシャー１８の連結や交換を行うときに、予め設定しているユーザーインターフェイスを用いて操作パネル８８から用紙許容幅Ｗを入力するものであっても良い。
【００６０】
ＩＯＴコントローラ８２は、用紙許容幅Ｗと画像形成領域Ｐmainに基づいて、記録紙１２のサイドレジ位置Ｓを設定し、このサイドレジ位置Ｓに合わせて記録紙１２のレジ調整（サイドレジ調整）を行うようにしている。
【００６１】
このとき、例えば、フィニッシャー１８の用紙許容幅Ｗが、画像形成部１４の画像形成領域Ｐmainの幅よりも僅かに大きく、画像形成領域Ｐmaxよりも小さいときには、サイドレジ位置Ｓとしてサイドレジ位置Ｓraを用いることができ、以下では、サイドレジ位置Ｓraをサイドレジ位置Ｓとする。
【００６２】
一方、ＩＯＴコントローラ８２は、フィニッシャー１８が連結されているときに、パージ処理を行うときには、排出する記録紙１２のサイドレジ調整を、サイドレジ位置Ｓrbではなく、サイドレジ位置Ｓにあわせるようにしている。
【００６３】
これにより、パージ処理を行ったときに、画像形成部１４から送り出される記録紙１２が、フィニッシャー１８への用紙挿入口で紙詰まりを生じさせてしまうのを確実に防止するようにしている。
【００６４】
このように構成されている画像形成装置１０では、例えば、ネットワーク接続されている図示しないパーソナルコンピュータやワークステーション等のクライアントＰＣから出力された印刷ジョブを受信すると、印刷ジョブに基づいた印刷処理を実行する。
【００６５】
このとき、画像形成装置１０では、トレイ２０から取出した記録紙１２を所定ピッチで搬送して転写器３０へ給紙する。また、画像形成装置１０では、画像データに基づいて感光体ドラム２６を露光した後、トナー現像を施すことにより形成したトナー像を中間転写ベルト２４に転写し、このトナー像に記録紙１２を重ねるように転写器３０へ送り込む。
【００６６】
これにより、転写器３０を通過した記録紙１２にトナー像が転写され、この記録紙１２が定着モジュール３６を通過することにより、トナー像が記録紙１２に定着される。
【００６７】
一方、この画像形成装置１０には、小冊子作成機能などの後処理機能を備えたフィニッシャー１８が連結可能となっており、画像形成装置１０では、フィニッシャー１８が連結されていることにより、画像形成の終了した記録紙１２をフィニッシャー１８へ送り込む。フィニッシャー１８では、印刷ジョブ上で後処理機能が設定されていると、画像形成装置１０から送りこまれる記録紙１２に対して、所定の後処理を施す。
【００６８】
ところで、画像形成装置１０では、記録紙１２の搬送幅方向の端部の位置であるサイドレジ位置の調整を行って転写器３０へ給紙する。サイドレジ調整は、斜行ユニット５４に設けている斜行ローラ５６によって記録紙１２を幅方向の一端側の一定位置に寄せた後、この記録紙１２をレジローラ６０とアイドルローラ６４によって挟持した時に、スライド機構７０によってレジローラ６０を軸方向（矢印Ｂ方向）に沿って移動することにより行う。
【００６９】
このとき、画像形成装置１０では、記録紙１２が所定サイズ以下であれば、記録紙１２の幅方向の端部をサイドレジ位置Ｓraに合わせることにより、感光体ドラム２６の中央部を用いて画像形成が行われるようにして、高品質の画像形成が可能となるようにしている。
【００７０】
また、画像形成装置１０では、所定サイズを越える記録紙１２に画像を形成するときには、この記録紙１２の幅方向の端部をサイドレジ位置Ｓrbに合わせるようにしている。
【００７１】
一方、画像形成装置１０には、画像形成部１４の下流側にフィニッシャー１８を連結することができる。画像形成装置１０では、フィニッシャー１８を連結するときに、そのフィニッシャー１８の用紙許容幅Ｗを設定する。
【００７２】
これにより、画像形成部１４を制御するＩＯＴコントローラ８２は、この用紙許容幅Ｗに基づいてサイドレジ位置Ｓを設定し、記録紙１２の幅方向の端部がサイドレジ位置Ｓに合うようにレジ調整を行い、記録紙１２への高品質な画像形成と共に、記録紙１２をフィニッシャー１８へ送り込むときに紙詰まりが生じるのを防止し、フィニッシャー１８で適切な後処理が可能となるようにしている。
【００７３】
また、画像形成装置１０（画像形成部１４）に設けているＩＯＴコントローラ８２は、装置異常を検出すると記録紙１２の搬送を停止し、また、装置異常が解消されることにより画像形成装置１０を再起動する。
【００７４】
このとき、ＩＯＴコントローラ８２では、搬送路３４上に残っている記録紙１２を強制的に排出するパージ処理を行う。
【００７５】
ＩＯＴコントローラ８２は、フィニッシャー１８が連結されていない状態では、パージ処理を行うときに、記録紙１２をサイドレジ位置Ｓrbに合うようにサイドレジ調整を行う。
【００７６】
すなわち、ＩＯＴコントローラ８２では、図５（Ｂ）に示すように、パージ処理を行うときには、記録紙１２のサイズに拘わらずサイドレジ位置Ｓrbに合わせるようにサイドレジ調整を行う。
【００７７】
画像形成装置１０で装置を異常停止させたときには、搬送路３４上の記録紙１２が斜行状態で停止していることがある。このとき、記録紙１２をサイドレジ位置Ｓraに合わせるようにサイドレジ調整を行ってしまうと、記録紙１２が搬送路３４の記録紙搬送領域から外れて、紙詰まり等が発生してしまうことがある。
【００７８】
ここから、ＩＯＴコントローラ８２では、パージ処理を行うときに、サイドレジ位置Ｓrbに合わせてサイドレジ調整を行うことにより、記録紙１２に斜行が生じていても、紙詰まり等を発生させることなく確実に排出できるようにしている。
【００７９】
これに対して、画像形成装置１０にフィニッシャー１８が連結されており、このフィニッシャー１８の用紙許容幅Ｗが、画像形成装置１０で処理可能な最大サイズの記録紙１２の搬送幅方向に沿った寸法（長さ、奥行き長）よりも狭いと、ＩＯＴコントローラ８２では、パージ処理を行うときにも、サイドレジ位置Ｓに合わせるようにしている。
【００８０】
すなわち、図５（Ａ）に示すように、用紙許容幅Ｗがサイドレジ位置Ｓrbを外れるフィニッシャー１８が連結されている状態でパージ処理を行うときに、サイドレジ位置Ｓrbに合わせて記録紙１２のサイドレジ調整を行ってしまうと、画像形成部１４から送り出された記録紙１２が、フィニッシャー１８との間で紙詰まりを生じさせてしまう。
【００８１】
このとき、ＩＯＴコントローラ８２では、フィニッシャー１８の用紙許容幅Ｗに基づいて設定しているサイドレジ位置Ｓに合わせるように記録紙１２のサイドレジ調整を行うことにより、記録紙１２がフィニッシャー１８との間で詰まってしまうのを防止することができる。
【００８２】
これにより、画像形成装置１０では、適切にパージ処理を行って記録紙１２を排出することができるので、装置が異常停止したときにも、再起動のための復旧作業が極めて容易となる。すなわち、パージ処理を実行できないと、装置内部に残っている記録紙１２を手作業で一枚ずつ取出す必要がある。この作業は、短時間で多量の記録紙１２に画像を形成可能な処理能力の高い画像形成装置１０では、多量の記録紙１２が装置内部に残ることがあるので容易な作業ではないが、パージ機能を用いることにより、自動排出が可能となる。
【００８３】
このときに、画像形成装置１０では、用紙許容幅Ｗの狭いフィニッシャー１８が連結されていても、的確に記録紙１２を排出することができるので、短時間で画像形成装置１０の再稼動を可能とすることができる。
【００８４】
なお、以上説明した本実施の形態は、本発明の一例を示すものであり、本発明は、サイドレジ調整を行うことにより記録紙に高品質の画像形成が可能となる任意の画像形成装置に対して、任意の後処理機能を備えた後処理装置を連結するときに適用することができる。
【図面の簡単な説明】
【００８５】
【図１】本実施の形態に適用した画像形成装置の概略構成図である。
【図２】画像形成装置での記録紙のサイドレジ調整を示す概略図である。
【図３】画像形成装置に設けているサイドレジ調整機構を示す概略図である。
【図４】フィニッシャーを連結したときの記録紙のサイドレジ調整を示す概略図である。
【図５】（Ａ）及び（Ｂ）はパージ処理を行うときのサイドレジ調整を示す概略図であり、（Ａ）は用紙許容幅の狭いフィニッシャーが連結されているときを示し、（Ｂ）はフィニッシャーの非連結状態を示している。
【符号の説明】
【００８６】
１０    画像形成装置
１２    記録紙
１４    画像形成部
１８    フィニッシャー（後処理装置）
２６    感光体ドラム
２８（２８Ｙ、２８Ｍ、２８C、２８Ｋ）    現像モジュール
３０    転写器
３４    搬送路
５４    斜行ユニット
５６    斜行ローラ
６０    レジローラ
６６    レジモータ
７０    スライド機構
７８    サイドシフトモータ
８０    レジコントローラ
８２    ＩＯＴコントローラ
８８    操作パネル
９０    操作部
Ｓ、Ｓra、Ｓrb    サイドレジ位置
Ｗ    用紙許容範囲
【図１】
2005320151.tif 000003
【図２】
2005320151.tif 000004
【図３】
2005320151.tif 000005
【図４】
2005320151.tif 000006
【図５】
2005320151.tif 000007